(57)【要約】      （修正有）【課題】熱い飲み物を飲む際、通気孔から飲み物漏れず、大きい声出さず、熱い飲み物の温度を自由自在に調整できるストローを提供する。【解決手段】進水路１の隣に進気路２を設ける。進気路に装着自在の遮断物４を用意し、進気路自体を装着自在のようにする。【選択図】図１
2011152378.tif 000002
【特許請求の範囲】
【請求項１】
進水路の隣に進気路を設けることを特徴とするストロー。
【請求項２】
前記の進気路に装着自在の遮断物を設置することを特徴とする請求項１のストロー。
【請求項３】
前記進気路は装着自在のことを特徴とする請求項１のストロー。
【発明の詳細な説明】
【技術分野】
【０００１】本発明はコーヒー、お茶など熱い飲み物を飲む際使用するストローに関する。
【背景技術】
【０００２】従来、熱い飲み物を飲む際には細長い筒状のストローの外周面に通気孔を開けて、屈曲部の伸縮によって通気孔の開閉を調整して、量が変更自在の外気を導入して熱い飲み物を冷やして飲めるようになっている。
【先行技術文献】
【特許文献】
【０００３】
【特許文献１】特開２００２−２５３４１４（Ｐ２００２−２５３４１４Ａ）（第１頁、図１）
【発明の概要】
【発明が解決しようとする課題】
【０００４】従来の技術では下記の課題点を抱えている。
問題点１、飲み物を飲みながら通気孔から飲み物が漏れ出す、嫌悪感が生じる上に、衛生面も問題になる。問題点２、通気孔からの空気は飲み物を振動させ、大きい声が出って、周りに迷惑になる。問題点３、屈曲部を伸縮する際、前記問題点１はさらに悪化する。
【課題を解決するための手段】
【０００５】前記課題を解決するために本発明は下記の手段を取る。
進水路の隣に進気路を設ける。進気路に装着自在の遮断物を用意し、進気路自体を装着自在のようにする。
【発明の効果】
【０００６】請求項１に係る発明によれば、進気路は進水路と分離していて、飲み物の漏れはなくなる上に、空気による飲み物の振動もなくなって飲み物を飲む際声も出ない。【０００７】請求項２に係る発明によれば、前記請求項１に係る発明の構成を備えた上で、装着自在の遮断物を設置して、前記請求項１に係る発明の効果を奏する上に、進気量を調整でき、進気量によって飲み物の熱の下がる量を調整でき、より長く暖かい飲み物を楽しめる。【０００８】請求項３に係る発明によれば、前記請求項１に係る発明の構成を備えた上で、その進気路自体を装着自在のようにして、もう一つの方法で進気量を調整でき、前記請求項２の効果を得られる。
【図面の簡単な説明】
【０００９】
【図１】本発明の第１の実施形態に係る進水路の隣に進気路を設けるストロー本体と遮断物を示す斜視図。
【図２】本発明の第１の実施形態に係る中心から切開後の前記進水路の隣に進気路を設けるストロー本体を示す斜視図。
【図３】本発明の第１の実施形態に係る遮断物が全ての通気孔を遮断する場合の斜視図。
【図４】本発明の第１の実施形態に係る遮断物が部分の通気孔を遮断する場合の斜視図。
【図５】本発明の第２の実施形態に係る進水路の周りに円環状進気路を設けるストロー本体を示す斜視図。
【図６】本発明の第２の実施形態に係る中心から切開後の前記進水路の周りに円環状進気路を設けるストロー本体を示す斜視図。
【図７】本発明の第３の実施形態に係る進水路の周りに喇叭状進気路を設けるストロー本体を示す斜視図。
【図８】本発明の第３の実施形態に係る前記喇叭状進気路を示す斜視図。
【図９】本発明の第３の実施形態に係る中心から切開後の前記進水路の周りに喇叭状進気路を設けるストロー本体を示す斜視図。
【図１０】本発明の第４の実施形態に係る進水路の傍に傍進気路を設けるストロー本体を示す斜視図。
【図１１】本発明の第４の実施形態に係る傍進気路本体を示す斜視図。
【発明を実施するための形態】
【００１０】以下、本発明の実施の形態について、実施例に基づき詳細に説明する。
【実施例】
【００１１】（第１の実施形態）図１は、本発明の第１の実施形態に係る基本構成を模式的に説明するものである。進水路１の隣に進気路２を設ける。進水路１と進気路２は完全に仕切られる。進水路１から進気路２に水が入られない。進気路２から進水路１に空気が入られない。進気路２の外周面に１個以上の通気孔３を設ける。熱い飲み物を飲む際、前記熱い飲み物が進水路１を通って口に入り、空気が通気孔３から入って、進気路２を通って口に入り、前記熱い飲み物を冷やす。遮断物４は通気孔３を部分的に或いは完全的に遮断することによって進気路２に入る空気の量を調整して、熱い飲み物の熱の下がる量を調整する。図２は本発明の第１の実施形態の内部構造を示す斜視図。図３は本発明の第１の実施形態に係る遮断物４が全ての通気孔３を遮断する場合の斜視図。図４は本発明の第１の実施形態に係る遮断物が部分の通気孔を遮断する場合の斜視図。【００１２】（第２の実施形態）図５は、本発明の第２の実施形態に係る基本構成を模式的に説明するものである。進水路１の周りに円環状進気路５を設ける。進水路１と円環状進気路５は完全に仕切られる。進水路１から円環状進気路５に水が入られない。円環状進気路５から進水路１に空気が入られない。円環状進気路５の外周面に１個以上の通気孔３を設ける。熱い飲み物を飲む際、前記熱い飲み物が進水路１を通って口に入り、空気が通気孔３から入って、円環状進気路５を通って口に入り、前記熱い飲み物を冷やす。遮断物４は通気孔３を部分的に或いは完全的に遮断することによって円環状進気路５に入る空気の量を調整して、熱い飲み物の熱の下がる量を調整する。図６は本発明の第２の実施形態の内部構造を示す斜視図。【００１３】（第３の実施形態）図７は、本発明の第３の実施形態に係る基本構成を模式的に説明するものである。進水路１の周りに喇叭状進気路６を設ける。進水路１と喇叭状進気路６は完全に仕切られる。進水路１から喇叭状進気路６に水が入られない。喇叭状進気路６から進水路１に空気が入られない。喇叭状進気路６の外周面に１個以上の通気孔３を設ける。熱い飲み物を飲む際、前記熱い飲み物が進水路１を通って口に入り、空気が通気孔３から入って、喇叭状進気路６を通って口に入り、前記熱い飲み物を冷やす。遮断物４は通気孔３を部分的に或いは完全的に遮断することによって喇叭状進気路６に入る空気の量を調整して、熱い飲み物の熱の下がる量を調整する。喇叭状進気路６は進水路１に装着自在である。喇叭状進気路６を装着しない場合、熱い飲み物を飲む際、空気が口に入らない、前記熱い飲み物の熱は下がらない。図８は本発明の第３の実施形態の喇叭状進気路６を示す斜視図。図９は本発明の第３の実施形態の内部構造を示す斜視図。【００１４】（第４の実施形態）図１０は、本発明の第４の実施形態に係る基本構成を模式的に説明するものである。進水路１の傍に１本以上の傍進気路７を設ける。進水路１と傍進気路７は完全に仕切られる。進水路１から傍進気路７に水が入られない。傍進気路７から進水路１に空気が入られない。傍進気路７の外周面に１個以上の通気孔３を設ける。熱い飲み物を飲む際、前記熱い飲み物が進水路１を通って口に入り、空気が通気孔３から入って、傍進気路７を通って口に入り、前記熱い飲み物を冷やす。傍進気路７は進水路１の傍に装着自在である。装着した傍進気路７の本数によって傍進気路７に入る空気の量を調整して、熱い飲み物の熱の下がる量を調整する。傍進気路７を装着しない場合、熱い飲み物を飲む際、空気が口に入らない、前記熱い飲み物の熱は下がらない。図１１は本発明の第４の実施形態の傍進気路７を示す斜視図。
【符号の説明】
【００１５】１      進水路
２      進気路
３      通気孔
４      遮断物
５      円環状進気路
６      喇叭状進気路
７      傍進気路
【図１】
2011152378.tif 000003
【図２】
2011152378.tif 000004
【図３】
2011152378.tif 000005
【図４】
2011152378.tif 000006
【図５】
2011152378.tif 000007
【図６】
2011152378.tif 000008
【図７】
2011152378.tif 000009
【図８】
2011152378.tif 000010
【図９】
2011152378.tif 000011
【図１０】
2011152378.tif 000012
【図１１】
2011152378.tif 000013
【手続補正書】
【提出日】平成22年11月24日(2010.11.24)
【手続補正１】
【補正対象書類名】特許請求の範囲
【補正対象項目名】請求項１
【補正方法】変更
【補正の内容】
【請求項１】
進水路の隣に進水路と完全に仕切られる進気路を設けることを特徴とするストロー。
【手続補正２】
【補正対象書類名】特許請求の範囲
【補正対象項目名】請求項２
【補正方法】変更
【補正の内容】
【請求項２】
前記の進気路に装着自在、進気路の通気孔を遮断する遮断物を設置することを特徴とする請求項１のストロー。
【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
進水路（１）の隣に前記進水路（１）と完全に仕切られた進気路（２）を設け、前記進気路（２）に１個以上の通気孔（３）を設けたことにより、熱い飲み物を飲む際、前記熱い飲み物が前記進水路（１）を通って口に入り、空気が前記通気孔（３）から入って、前記進気路（２）を通って口に入り、前記熱い飲み物を冷やして飲めることを特徴とするストロー。
【請求項２】
前記通気孔（３）を遮断する、装着自在な遮断物（４）を設置したことを特徴とする請求項１記載のストロー。
【請求項３】
前記進気路（２）は装着自在であることを特徴とする請求項１記載のストロー。